(57)【要約】【課題】送風方向を下側又は上側に変えるために、奥フィンを上又は下に振ったときの送風の指向性を向上させることができる薄型レジスタを提供する。【解決手段】前可動ルーバ５の上流側の通風路３内に、短手方向に風向を変える奥フィン８１を有した奥可動ルーバ８が長手方向と平行な支軸８２を介して回動可能に軸支される。空気吹出口２ａの内側の上部と下部に傾斜面６ａ，７ａが設けられ、奥フィン８１の下流側の縁部に、奥フィン８１の長手方向に沿って、上凸条８４が奥フィン８１の上面から突出して、且つ下凸条８５が奥フィン８１の下面から突出して、設けられる。【選択図】図６
0003218076.tif 000002
【実用新案登録請求の範囲】
【請求項１】
レジスタの前部に長手方向に長く短手方向に短い細長の空気吹出口が設けられ、該空気吹出口の内側に複数の前フィンを有する前可動ルーバが配設され、該前可動ルーバの前フィンは該短手方向と平行な支軸により軸支され且つ該長手方向に間隔をおいて並設され、該前可動ルーバの上流側の通風路内に、該短手方向に風向を変える奥フィンを有した奥可動ルーバが該長手方向と平行な支軸を介して回動可能に軸支されてなる薄型レジスタにおいて、
該空気吹出口の内側の上部と下部に傾斜面が設けられ、該奥フィンの下流側の縁部に、該奥フィンの長手方向に沿って、上凸条が該奥フィンの上面から突出して、且つ下凸条が該奥フィンの下面から突出して、設けられたことを特徴とする薄型レジスタ。
【請求項２】
前記奥フィンの縁部の前記上凸条及び前記下凸条は、横断面形状を円弧状とする曲面を有して形成されることを特徴とする請求項１記載の薄型レジスタ。
【請求項３】
前記空気吹出口は、正面が、通風路の送風軸方向に対し垂直に形成され、該空気吹出口の中央に、固定フィンが長手方向に沿って設けられたことを特徴とする請求項１記載の薄型レジスタ。
【請求項４】
前記空気吹出口の上部と下部に、内外に傾斜面を有する山形凸条が該空気吹出口の長手方向と平行に両側に形成され、該山形凸条はその頂部で通風路を狭窄して該空気吹出口を形成するように構成されたことを特徴とする請求項１記載の薄型レジスタ。
【請求項５】
前記操作ノブを下側または上側に最大角度まで振って、前記奥フィンが上側または下側に限度まで傾動したとき、該奥フィンの上流側縁部が通風路の下壁または上壁に当接するように構成されたことを特徴とする請求項１記載の薄型レジスタ。
【考案の詳細な説明】
【技術分野】
【０００１】
本考案は、自動車等の空調の空気吹出口に使用される空気吹出調整用の薄型レジスタに関し、特に長手方向に長く短手方向に短い細長の空気吹出口を有し、上下方向への送風の指向性を向上させることができる薄型レジスタに関する。
【背景技術】
【０００２】
空調装置の空気吹出調整用のレジスタとして、通風路を形成するベゼルまたはリテーナ内に、横可動ルーバと縦可動ルーバを前後して直交するように配設し、ベゼルに設けた空気吹出口から空気を吹き出す際、横可動ルーバ、縦可動ルーバの各フィンの角度を変えて空気の吹出し方向を調整するレジスタが、自動車の空調などで使用されている。
【０００３】
近年、自動車用の空調に使用されるレジスタでは、長手方向に長く短手方向に短い細長の空気吹出口を有し、空気吹出口の内側に１〜３枚程度の少数の前可動フィンを設けた薄型のレジスタが、主として意匠性やデザイン的なデマンドから製作される場合がある。
【先行技術文献】
【特許文献】
【０００４】
【特許文献１】特開２０１４−２１０５０２号公報
【考案の概要】
【考案が解決しようとする課題】
【０００５】
この種の薄型レジスタは、細長の空気吹出口の内側に、枚数が１〜３枚程度の前可動フィンが長手方向に沿って配置され、その前可動フィンの上流側に多数の後可動フィンが、前可動フィンと直交する短手方向に枢支され、長手方向に間隔をおいて並設される。
【０００６】
しかし、レジスタの空気吹出口が長手方向に長く短手方向に短い細長形状であって、その短手方向の長さが非常に短く極めて薄型となった場合、通風路から空気吹出口に向けて送風される空気流が短手方向に圧縮されて縮流が発生しやすく、特に、その縮流によって、後可動フィンを長手方向に振った際の風の指向性が悪化しやすいという現象が生じていた。
【０００７】
そこで、薄型レジスタにおいて上記のような縮流によって生じる指向性の悪化を改善するために、空気吹出口の短手方向と平行に前可動フィンを配置するとともに、その長手方向と平行に後可動フィンを配置し、後可動フィンを短手方向に振った際の風の指向性を向上させるようにした薄型レジスタの開発が行なわれ、上記特許文献１で提案されている。
【０００８】
このタイプのレジスタは、通風路の下流側に、上下に狭窄する形状の空気吹出口が設けられ、空気吹出口の内側上下に内側傾斜面が長手方向に沿って設けられる。空気吹出口は、通風路の空気流を、上下の内側傾斜面により、中央寄りに曲げて吹出すように形成される。空気吹出口の直ぐ上流側に複数の前フィンを有する前可動ルーバが、空気吹出口の短手方向に沿った支軸を介して前フィンを回動可能に、且つ長手方向に間隔をおいて並設される。さらに前可動ルーバの上流側の通風路内に、短手方向に風向を変える１枚の後フィンを有する後可動ルーバが長手方向に沿った支軸を介して回動可能に軸支される。
【０００９】
このような薄型レジスタは、風向を空気吹出口の短手方向に変える場合、後可動ルーバの後フィンを短手方向に回動させ、後フィンによって縮流された空気流を空気吹出口の上又は下の内側傾斜面に当てることにより、後フィンによる短手方向の曲げと逆の方向に曲げて、風向を短手方向に変えるように動作する。また、風向を長手方向に変える場合、前可動ルーバの複数の前フィンを長手方向に回動させ、風向を長手方向に変えるように動作する。
【００１０】
然るに、この種の薄型レジスタは、後可動ルーバの後フィンが１枚フィンから構成され、上又は下に送風方向を変える場合、１枚の後フィンを上又は下に傾動させ、送風方向をそれとは逆の下方又は上方に変えるため、後フィンを上又は下に振ったとき、空気吹出口から送風される空気流の指向性が悪くなる場合があり、送風の指向性を改善する必要性があった。
【００１１】
本考案は、上記の点に鑑みてなされたもので、送風方向を下側又は上側に変えるために、奥フィンを上又は下に振ったときの送風の指向性を向上させることができる薄型レジスタを提供することを目的とする。
【課題を解決するための手段】
【００１２】
本考案に係る薄型レジスタは、レジスタの前部に長手方向に長く短手方向に短い細長の空気吹出口が設けられ、該空気吹出口の内側に複数の前フィンを有する前可動ルーバが配設され、該前可動ルーバの前フィンは該短手方向と平行な支軸により軸支され且つ該長手方向に間隔をおいて並設され、該前可動ルーバの上流側の通風路内に、該短手方向に風向を変える奥フィンを有した奥可動ルーバが該長手方向と平行な支軸を介して回動可能に軸支されてなる薄型レジスタにおいて、該空気吹出口の内側の上部と下部に傾斜面が設けられ、該奥フィンの下流側の縁部に、該奥フィンの長手方向に沿って、上凸条が該奥フィンの上面から突出して、且つ下凸条が該奥フィンの下面から突出して、設けられたことを特徴とする。
【００１３】
この考案の薄型レジスタによれば、送風方向を例えば上側に変えるために、奥フィンを斜め下側に傾動させたとき、通風路を流れる空気流が、奥フィンの下流側縁部の下側を通過する際、奥フィンの下凸条により空気流が効果的に通風路の下壁に押し付けられて送風される。このため、空気吹出口に向けて送風される空気流が、通風路の下壁上で、大きく圧縮されて十分な縮流が発生し、その縮流によって流速が増した空気流が、空気吹出口内側の傾斜面に当たり、空気吹出口から斜め上方に向けて送風される。
【００１４】
また、送風方向を下側に変えるために、奥フィンを斜め上側に傾動させたとき、通風路を流れる空気流が、奥フィンの下流側縁部の上側を通過する際、奥フィンの上凸条により空気流が効果的に通風路の上壁に押し付けられて送風される。このため、空気吹出口に向けて送風される空気流が、通風路の上壁面で、大きく圧縮されて十分な縮流が発生し、その縮流によって流速が増した空気流が、空気吹出口内側の傾斜面に当たり、空気吹出口から斜め下方に向けて送風される。
【００１５】
このため、縮流によって流速が増した空気流は略集中して、空気吹出口内側の傾斜面の方向に流れ、良好な指向性で上側又は下側に送風することができる。また、奥フィンの下流側の縁部に、上凸条及び下凸条が長手方向に沿って設けられるので、比較的長手方向に長くのびる奥フィンの剛性を向上させることができる。
【００１６】
ここで、奥フィンの縁部の上凸条及び下凸条は、その横断面形状を円弧状とする曲面を有して構成することが好ましい。これにより、奥フィンの表面を流れる空気流の空気抵抗を抑制し、さらに流速を増すとともに、送風の圧力損失を低減することができる。
【００１７】
またここで、空気吹出口はその正面が、通風路の送風軸方向に対し垂直に形成され、空気吹出口の中央に、固定フィンが長手方向に沿って設けられた構成とすることができる。また、空気吹出口は、その上部が後退し、その下部が前方に突き出した形状として、スラントノーズ状に傾斜した構成とすることもできる。
【００１８】
またここで、上記薄型レジスタにおいて、空気吹出口の上部と下部に、内外に傾斜面を有する山形凸条が該空気吹出口の長手方向と平行に両側に形成され、該山形凸条はその頂部で通風路を狭窄して該空気吹出口を形成するように構成することができる。これによれば、奥フィンを上または下に傾動させたとき、該山形凸条は、内外の両側の傾斜面で空気流を良好にガイドして、上または下に指向性よく送風することができる。
【００１９】
またここで、操作ノブを下側または上側に最大角度まで振って、奥フィンが上側または下側に限度まで傾動したとき、奥フィンの上流側縁部が下壁または上壁に当接するように構成することが好ましい。これによれば、操作ノブを下側または上側に最大角度まで回動操作したとき、奥フィンの上流側縁部が通風路を真直ぐ抜ける空気流を阻止するため、操作ノブを最大角度まで回動操作したときの送風の指向性を向上させることができる。
【考案の効果】
【００２０】
本考案の薄型レジスタによれば、送風方向を下側又は上側に変えるために、奥フィンを上又は下に振ったときの送風の指向性を向上させることができる。
【図面の簡単な説明】
【００２１】
【図１】本考案の一実施形態を示すレジスタの正面図である。
【図２】同レジスタの左側面図である。
【図３】同レジスタの平面図である。
【図４】同レジスタの斜視図である。
【図５】図１のV-V断面図である。
【図６】図１のVI-VI断面図である。
【図７】図１のVII-VII断面図である。
【図８】レジスタの分解斜視図である。
【図９】操作ノブと前フィンの斜視図である。
【図１０】（ａ）は操作ノブを上に振った際のVII-VII断面図、（ｂ）は操作ノブを下に振った際のVII-VII断面図である。
【図１１】（ａ）は操作ノブを上に振った際のVI-VI断面図、（ｂ）は操作ノブを下に振った際のVI-VI断面図である。
【図１２】前フィンを右に振ったときの図１のV-V断面図である。
【図１３】前フィンを左に振ったときの図１のV-V断面図である。
【図１４】他の実施形態の前フィンの斜視図である。
【図１５】他の実施形態の前フィンの斜視図である。
【図１６】他の実施形態の前フィンの斜視図である。
【図１７】他の実施形態の前フィンの断面を示す断面図である。
【図１８】他の実施形態の前フィンの断面を示す断面図である。
【図１９】他の実施形態の前フィンの断面を示す断面図である。
【図２０】他の実施形態の前フィンの断面を示す断面図である。
【図２１】他の実施形態の前フィンの断面を示す断面図である。
【図２２】他の実施形態の前フィンの断面を示す断面図である。
【図２３】他の実施形態の前フィンの断面を示す断面図である。
【考案を実施するための形態】
【００２２】
以下、本考案の実施の形態を図面に基づいて説明する。図１〜図１３は本発明の薄型レジスタの一実施形態を示しており、この薄型レジスタは、ケース本体１の前部に、空気吹出口２ａを有するベゼル２が取り付けられ、図１に示すように、ベゼル２の前面に形成される空気吹出口２ａは、その短手方向（ベゼル２の縦方向）の長さに比して、その長手方向（ベゼル２の横方向）の長さが長く形成され、横方向に細長く形成されている。
【００２３】
ケース本体１は、図５〜図８に示すように、薄型の箱型ダクト状に形成され、内部に高さの低い通風路３が形成され、ベゼル２の空気吹出口２ａに向かって筒状に形成される。ケース本体１内の通風路３の末端開口部には、空気の導入口が形成され、ケース本体１の前部に、ベゼル２が嵌着される。ベゼル２には、通風路３を通る空気を吹出すために、水平横方向に細長い形状の空気吹出口２ａが形成される。
【００２４】
空気吹出口２ａは、図１、４に示すように、偏平で細長いスリット状に形成され、長手方向（左右方向）に長く短手方向（上下方向）に短い横長の長方形に形成される。また、空気吹出口２ａの中央長手方向には、固定フィン２ｂが水平に設けられ、固定フィン２ｂの中間部は、複数の縦枠２ｃによってベゼル２に対し固定支持される。固定フィン２ｂの中央部は開口し、その中央開口部には、操作ノブ４が上下左右に傾動可能に配置される。
【００２５】
また、図６、７に示すように、空気吹出口２ａの直ぐ内側の上壁面と下壁面に、山形凸条６，７が、その上流側に傾斜面６ａ，７ａを有し、その下流側に傾斜面６ｂ、７ｂを有して形成され、山形凸条６，７は空気吹出口２ａの長手方向と平行に設けられる。つまり、上下両側の山形凸条６，７は、その頂部で通風路３を狭窄するように内側に突出し、スリット状に細長い空気吹出口２ａを形成している。
【００２６】
この山形凸条６，７の上流側の傾斜面６ａ，７ａは、各々、その傾斜方向を前可動ルーバ５の前フィン５１に向けて形成されており、この傾斜面６ａ，７ａの水平線に対する傾斜角度は、約４５°に設定される。空気吹出口２ａの高さ（短手方向の長さ）によっては、約３５°〜５５°に設定することができる。
【００２７】
なお、山形凸条６と山形凸条７は、空気吹出口２ａの直ぐ内側壁面に、略三角形状の山形突出部として形成したが、ベゼル２の前部内側を単純に狭窄し、内側のみに傾斜面を設けて形成することもできる。
【００２８】
この山形凸条６と山形凸条７は、図１０に示すように、操作ノブ４を下側に或いは上側に回動操作して、奥可動ルーバ８の奥フィン８１の下流側先端を、上方或いは下方に向けたとき、空気吹出口２ａから吹き出される空気流の方向を、それとは逆の下方或いは上方に曲げるように作用する。
【００２９】
つまり、奥可動ルーバ８の奥フィン８１の下流側先端を上側（斜め上方）に向けた場合、図１１（ｂ）のように、通風路３を流れる空気流は、その上壁面近傍に圧縮されて縮流され、さらに上側の山形凸条６の傾斜面６ａに当たって下方に曲げられ、斜め下方に送風されるようなっている。
【００３０】
また、奥フィン８１の下流側先端を下側（斜め下方）に向けた場合、図１１（ａ）のように、通風路３を流れる空気流は、その下壁面近傍に圧縮されて縮流され、さらに下側の山形凸条７の傾斜面７ａに当たって上方に曲げられ、斜め上方に送風されるようなっている。
【００３１】
図５、図８に示すように、奥フィン８１の略中央部に、半楕円状の開口８７が設けられ、開口８７の前部に、棒状係合部８３が水平に架設される。組み立てた状態で、棒状係合部８３には、操作ノブ４の二股係合部４５が係合し、操作ノブ４を上下に回動操作したとき、ノブ本体４２の傾動操作の動きを奥フィン８１に伝達する。つまり、図１０に示すように、操作ノブ４を上側に回動操作したとき、奥フィン８１を下側に傾動させ、操作ノブ４を下側に回動操作したとき、奥フィン８１を上側に傾動させるようになっている。
【００３２】
さらに、奥フィン８１の下流側の縁部に、奥フィン８１の長手方向に沿って、上凸条８４が奥フィン８１の上面から突出して設けられ、且つ下凸条８５が奥フィン８１の下面から突出して、設けられる。奥フィン８１の縁部に設けた上凸条８４及び下凸条８５は、横断面形状を半円形の円弧状として形成され、上凸条８４及び下凸条８５の表面は曲面となっている。これにより、奥フィン８１の表面を流れる空気流が上凸条８４及び下凸条８５に接触したときの空気抵抗を抑制し、送風の圧力損失を低減するようになっている。
【００３３】
通風路３内の奥に設置される奥可動ルーバ８は、上記１枚の奥フィン８１と、その両側の支軸８２を支持する軸受部８６とから構成され、操作ノブ４の上下の回動操作に伴い、下側または上側に奥フィン８１を傾動させるように動作する。
【００３４】
この奥フィン８１の縁部の上凸条８４及び下凸条８５は、図１１（ｂ）のように、奥フィン８１が上側に回動し、空気流が奥フィン８１の下流側縁部の上側を通過するとき、奥フィン８１の上凸条８４により空気流が効果的に通風路３の上壁に押し付けられる。また、図１１（ａ）のように、奥フィン８１が下側に回動し、奥フィン８１の下流側縁部の下側を空気流が通過するとき、奥フィン８１の下凸条８５により空気流が効果的に通風路３の下壁に押し付けられる。
【００３５】
これにより、空気吹出口２ａに向けて送風される空気流が、通風路３の上壁または下壁上で、大きく圧縮されて十分な縮流が発生し、その縮流によって流速が増した空気流が、空気吹出口２ａ内側の傾斜面６ａ，７ａに当たり、空気吹出口２ａから指向性よく、斜め上方または下方に向けて送風されるようになっている。
【００３６】
さらに、操作ノブ４を下側または上側に最大角度まで振って、図１１に示すように、奥フィン８１が上側または下側に限度まで傾動したとき、奥フィン８１は、その上流側縁部が下壁または上壁に当接するように構成される。これにより、操作ノブ４を下側または上側に最大角度まで回動操作したとき、奥フィン８１の上流側縁部が通風路を真直ぐ抜ける空気流を阻止するため、操作ノブを最大角度まで回動操作したときの送風の指向性を向上させることができる。また、奥フィン８１の下流側の縁部に、上凸条８４及び下凸条８５が長手方向に沿って設けられるので、比較的長手方向に長くのびる奥フィン８１の剛性を向上させることができる。
【００３７】
図４，５に示すように、ベゼル２の空気吹出口２ａの内側近傍には、複数の前フィン５１を有する前可動ルーバ５が空気吹出口２ａの長手方向に沿って配設される。前可動ルーバ５の前フィン５１は空気吹出口２ａ短手方向（縦方向）と平行な支軸５２により軸支され、且つその長手方向に間隔をおいて多数の前フィン５１が短手方向と平行に並設されている。
【００３８】
図６に示す如く、各前フィン５１の上部と下部には、支軸５２が突設され、それらの支軸５２は、図８に示すごとく、軸受板５６に設けた軸受孔に嵌入され、各前フィン５１は左右方向に回動可能に軸支される。さらに、図６に示す如く、上部の支軸５２にはクランク部５３を介して連結軸５４が設けられ、全ての連結軸５４は１本のリンクバー５５により連結され、全ての前フィン５１が同期して（連動して）左右方向に回動する構造となっている。
【００３９】
前可動ルーバ５の正面中央部には、操作ノブ４が配設される。操作ノブ４は、図９、１０に示すように、操作ノブケース４１内にノブ本体４２を回動可能に組み付けて構成され、図５，８に示す如く、前可動ルーバ５の中央部の前フィン５１と前フィン５１の間に、前フィン５１とともに回動可能に配設される。
【００４０】
操作ノブケース４１の内側に、ノブ支軸４４が水平横方向に設けられ、操作ノブケース４１の前部に、開口４１ａが設けられる。図９に示す如く、ノブ本体４２は、開口４１ａから操作ノブケース４１内に挿入され、ノブ支軸４４を軸に上下に回動可能に支持される。ノブ本体４２の後部には、二股状の二股係合部４５が形成され、ノブ本体４２の前部には、把持部４６が形成される。操作ノブ４を含む前可動ルーバ５をケース本体１の前部に組み付けた状態で、図７に示す如く、操作ノブ４の二股係合部４５は、奥可動ルーバ８の奥フィン８１の前縁部中央に設けた棒状係合部８３に係合する。
【００４１】
操作ノブケース４１にはケース支軸４３が上下に突設され、操作ノブケース４１はこの上下のケース支軸４３を軸に左右に回動可能に取り付けられる。図８に示すように、上下のケース支軸４３は、前可動ルーバ５の軸受板５６の軸受孔に嵌入される。図７，９に示すように、操作ノブケース４１の上部に、クランク部４３ａを介して連結軸４３ｂが設けられ、操作ノブケース４１は、前フィン５１と同期して左右に回動するように、連結軸４３ｂにリンクバー５５が連結される。これにより、操作ノブ４を左右に回動操作したとき、操作ノブケース４１がケース支軸４３を軸に回動し、連結軸４３ｂ、リンクバー５５を介してその回動が前可動ルーバ５の全ての前フィン５１に伝達され、前フィン５１は左右に回動する。
【００４２】
薄型レジスタの組み立て時、図８に示すように、先ず、奥可動ルーバ８の奥フィン８１の両側に設けた支軸８２を、両側の軸受部８６に回動可能に差し込み、軸支させた状態で、両側の軸受部８６を、ケース本体１内の両側壁部内に嵌入し、奥可動ルーバ８を通風路３内に組み付ける。次に、前可動ルーバ５は、予め、図８のように、前フィン５１、操作ノブ４、軸受板５６等を組み付け、アッセンブリとして状態で、ケース本体１内の前部の定位置に、嵌め込む。このとき、操作ノブ４の二股係合部４５が奥フィン８１の棒状係合部８３に係合する。次に、空気吹出口２ａを設けたベゼル２を、ケース本体１の前部に、被せるように嵌着する。
【００４３】
これにより、図４に示す如く、操作ノブ４が空気吹出口２ａの中央部から露出し、通風路３内奥には、１枚の奥フィン８１からなる奥可動ルーバ８が配置され、その奥可動ルーバ８の直ぐ下流側に、多数の前フィン５１を並設した前可動ルーバ５が、前フィン５１を奥フィン８１と直交方向として、配設される。
【００４４】
上記構成の薄型レジスタは、自動車の車室内のインストルメントパネルなどに設けられる空調装置の送風用吹出口に、ベゼル２を嵌め込むようにして取り付けられ、ケース本体１の後部には送風ダクトが接続される。
【００４５】
薄型レジスタの送風方向を上方に変える場合、図１０（ａ）のように、操作ノブ４の把持部４６を上側に操作して、ノブ本体４２の前部を、そのノブ支軸４４を軸に上側に回動させる。これにより、ノブ本体４２の後部の二股係合部４５が下側に回動し、奥可動ルーバ８の奥フィン８１の下流側先端部が、斜め下方に向くように回動する。このとき、操作ノブ４を上側に最大角度まで振った場合、奥フィン８１が下側に限度まで傾動し、奥フィン８１の上流側縁部が上壁に当接する。
【００４６】
これにより、通風路３を流れる空気流が、図１０（ａ）、図１１（ａ）のように、奥フィン８１にガイドされて下側に流れ、奥フィン８１の下流側縁部の下側を通過する際、空気流は奥フィン８１の下凸条８５により下壁に押し付けられて送風される。
【００４７】
このため、空気吹出口２ａに向けて流れる空気流は、通風路３の下壁上で、大きく圧縮され、十分な縮流が発生する。その縮流によって空気流は、流速が増した状態で、空気吹出口２ａ内側の、下側の山形凸条７の傾斜面７ａに当たり、空気吹出口２ａから斜め上方に向けて、指向性よく送風される。
【００４８】
このような斜め上方への送風の指向性は、奥フィン８１に下凸条８５を設けた場合、下凸条８５を設けない場合に比して、斜め上側への送風角度が＋３度と大きくなり、指向性の向上が確認された。
【００４９】
また、このとき、前可動ルーバ５の向きが長手方向（左右方向）に振られている場合、縮流された空気流は、前可動ルーバ５の前フィン５１の間を通過し、前可動ルーバ５の向きに応じて長手方向（左右方向）に風向を良好に変えることができる。さらに、図１０（ａ）の如く、操作ノブ４が上側に最大角度まで振られた場合、奥フィン８１の上流側縁部が上壁に当接するので、奥フィン８１の上流側縁部が通風路３を真直ぐ抜ける空気流を阻止し、これにより、操作ノブ４を最大角度まで回動操作したときの送風の指向性は向上する。
【００５０】
一方、送風方向を下方に変える場合、図１０（ｂ）のように、操作ノブ４の把持部４６を下側に操作して、ノブ本体４２の前部を、そのノブ支軸４４を軸に下側に回動させる。これにより、ノブ本体４２の後部の二股係合部４５が上側に回動し、奥可動ルーバ８の奥フィン８１の下流側先端部が、斜め上方に向くように回動する。このとき、操作ノブ４を下側に最大角度まで振った場合、奥フィン８１が上側に限度まで傾動し、奥フィン８１の上流側縁部が下壁に当接する。
【００５１】
これにより、通風路３を流れる空気流が、図１０（ｂ）、図１１（ｂ）のように、奥フィン８１にガイドされて上側に流れ、奥フィン８１の下流側縁部の上側を通過する際、空気流は奥フィン８１の上凸条８４により上壁に押し付けられて送風される。
【００５２】
このため、空気吹出口２ａに向けて流れる空気流は、通風路３の上壁近傍で、大きく圧縮され、十分な縮流が発生する。その縮流によって空気流は、流速が増した状態で、空気吹出口２ａ内側の、上側の山形凸条６の傾斜面６ａに当たり、空気吹出口２ａから斜め下方に向けて、指向性よく送風される。
【００５３】
このような斜め下方への送風の指向性は、奥フィン８１に上凸条８４を設けた場合、上凸条８４を設けない場合に比して、斜め下側への送風角度が＋３度と大きくなり、指向性の向上が確認された。
【００５４】
また、このとき、前可動ルーバ５の向きが長手方向（左右方向）に振られている場合、縮流された空気流は、前可動ルーバ５の前フィン５１の間を通過し、前可動ルーバ５の向きに応じて長手方向（左右方向）に風向を良好に変えることができる。しかも、図１０（ｂ）の如く、操作ノブ４が下側に最大角度まで振られた場合、奥フィン８１の上流側縁部が下壁に当接するので、奥フィン８１の上流側縁部が通風路３を真直ぐ抜ける空気流を阻止し、これにより、操作ノブ４を最大角度まで回動操作したときの送風の指向性は向上する。
【００５５】
一方、送風方向を左右に振る場合、図１２、１３に示すように、前可動ルーバ５の前面の把持部４６を持って左または右に回動させる。これにより、操作ノブケース４１がノブ本体４２とともにその上下のケース支軸４３を軸に、左または右に回動し、この操作ノブケース４１の動きがリンクバー５５を介して前可動ルーバ５の全ての前フィン５１に伝達され、図１２、１３に示す如く、前可動ルーバ５の全ての前フィン５１が、左または右に向くように回動し、風向が左または右に変えられる。
【００５６】
図１４〜図２３は、他の実施形態の奥フィンを示している。なお、上記実施形態の奥フィン８１と同様な部材や部分については、同じ符号を図に付して、その説明を省略する。
【００５７】
図１４の奥フィン８１Ａは、その下流側縁部に、奥フィン８１の長手方向に沿って、上凸条８４Ａが奥フィン８１Ａの上面から突出して設けられ、且つ下凸条８５Ａが奥フィン８１Ａの下面から突出して、設けられる。さらに、上凸条８４Ａ及び下凸条８５Ａには、所定の間隔をおいて溝８４ａ，８５ａが横断面方向（奥フィンの短手方向）に形成されている。これにより、奥フィン８１Ａの表面を流れる空気流が上凸条８４Ａ及び下凸条８５Ａに当たって生じやすい、渦流による異音の発生が、抑制される。
【００５８】
図１５の奥フィン８１Ｂは、上凸条８４Ｂが、その下流側縁部から少し上流側に後退した位置に、奥フィン８１Ｂの長手方向に沿って、奥フィン８１Ｂの上面から突出して設けられ、且つ下凸条８５Ｂが上凸条８４Ｂと反対側の位置に、奥フィン８１Ｂの下面から突出して、設けられる。
【００５９】
図１６の奥フィン８１Ｃは、上凸条８４Ｃが、その下流側縁部から少し上流側に後退した位置に、奥フィン８１Ｃの長手方向に沿って、奥フィン８１Ｃの上面から突出して設けられ、且つ下凸条８５Ｃが上凸条８４Ｃと反対側の位置に、奥フィン８１Ｃの下面から突出して、設けられる。上凸条８４Ｃと下凸条８５Ｃは、各々、奥フィン８１Ｃの中央の開口８７から両側に向かって僅かに上流側に後退するように、両側に傾斜して設けられる。
【００６０】
図１７の奥フィン８１Ｄは、その下流側縁部が、その横断面を略釘頭部形状として形成される。それにより、横断面を略三角形状とする上凸条８４Ｄが、奥フィン８１Ｄの長手方向に沿って、奥フィン８１Ｄの上面から突出して設けられ、且つ同様の下凸条８５Ｄが、奥フィン８１Ｄの下面から突出して、設けられる。
【００６１】
図１８の奥フィン８１Ｅは、その下流側縁部が、その横断面を略鏃形状として形成される。それにより、横断面を略三角形状とする上凸条８４Ｅが、奥フィン８１Ｅの長手方向に沿って、奥フィン８１Ｅの上面から突出して設けられ、且つ同様の下凸条８５Ｅが、奥フィン８１Ｅの下面から突出して、設けられる。
【００６２】
図１９の奥フィン８１Ｆは、その下流側縁部が、その横断面を略釘頭部形状として形成され、その釘頭部形の先端部は平面で形成される。このため、横断面を略三角形状とする上凸条８４Ｆが、奥フィン８１Ｆの長手方向に沿って、奥フィン８１Ｆの上面から突出して設けられ、且つ同様の下凸条８５Ｆが、奥フィン８１Ｆの下面から突出して、設けられる。
【００６３】
図２０の奥フィン８１Ｇは、その下流側縁部が、その横断面を略金槌状に形成される。これにより、横断面を略四角形状とする上凸条８４Ｇが、奥フィン８１Ｇの長手方向に沿って、奥フィン８１Ｇの上面から突出して設けられ、且つ同様の下凸条８５Ｇが、奥フィン８１Ｇの下面から突出して、設けられる。
【００６４】
図２１の奥フィン８１Ｈは、その下流側縁部が、その横断面を略蝶ナット形状に形成される。これにより、横断面を略半蝶ナット形とする上凸条８４Ｈが、奥フィン８１Ｈの長手方向に沿って、奥フィン８１Ｈの上面から突出して設けられ、且つ同様の下凸条８５Ｈが、奥フィン８１Ｈの下面から突出して、設けられる。
【００６５】
図２２の奥フィン８１Ｉは、その下流側縁部に設けた上凸条８４Ｉと下凸条８５Ｉの横断面が、下流側に向けて、半円形凸部を両側に、約１２０度の開度で突き出す形状に形成される。これにより、横断面を略半円形凸部とする上凸条８４Ｉが、奥フィン８１Ｉの長手方向に沿って、奥フィン８１Ｉの上面から突出して設けられ、且つ同様の下凸条８５Ｉが、奥フィン８１Ｉの下面から突出して、設けられる。
【００６６】
図２３の奥フィン８１Ｊは、その下流側縁部に設けた上凸条８４Ｊと下凸条８５Ｊの横断面が、下流側に向けて、略円形凸部を両側に、約１８０度の開度で突き出す形状に形成される。その下流側縁部の正面は、平坦凹部で形成される。これにより、横断面を略円形凸部とする上凸条８４Ｊが、奥フィン８１Ｊの長手方向に沿って、奥フィン８１Ｊの上面から突出して設けられ、且つ同様の下凸条８５Ｊが、奥フィン８１Ｊの下面から突出して、設けられる。
【符号の説明】
【００６７】
１      ケース本体
２      ベゼル
２ａ    空気吹出口
２ｂ    固定フィン
２ｃ    縦枠
３      通風路
４      操作ノブ
５      前可動ルーバ
６      山形凸条
６ａ    傾斜面
６ｂ    傾斜面
７      山形凸条
７ａ    傾斜面
８      奥可動ルーバ
４１    操作ノブケース
４１ａ  開口
４２    ノブ本体
４３    ケース支軸
４３ａ  クランク部
４３ｂ  連結軸
４４    ノブ支軸
４５    二股係合部
４６    把持部
５１    前フィン
５２    支軸
５３    クランク部
５４    連結軸
５５    リンクバー
５６    軸受板
８１    奥フィン
８２    支軸
８３    棒状係合部
８４    上凸条
８４ａ  溝
８５    下凸条
８６    軸受部
８７    開口
【図１】
0003218076.tif 000003
【図２】
0003218076.tif 000004
【図３】
0003218076.tif 000005
【図４】
0003218076.tif 000006
【図５】
0003218076.tif 000007
【図６】
0003218076.tif 000008
【図７】
0003218076.tif 000009
【図８】
0003218076.tif 000010
【図９】
0003218076.tif 000011
【図１０】
0003218076.tif 000012
【図１１】
0003218076.tif 000013
【図１２】
0003218076.tif 000014
【図１３】
0003218076.tif 000015
【図１４】
0003218076.tif 000016
【図１５】
0003218076.tif 000017
【図１６】
0003218076.tif 000018
【図１７】
0003218076.tif 000019
【図１８】
0003218076.tif 000020
【図１９】
0003218076.tif 000021
【図２０】
0003218076.tif 000022
【図２１】
0003218076.tif 000023
【図２２】
0003218076.tif 000024
【図２３】
0003218076.tif 000025
【手続補正書】
【提出日】平成30年7月26日(2018.7.26)
【手続補正１】
【補正対象書類名】実用新案登録請求の範囲
【補正対象項目名】請求項５
【補正方法】変更
【補正の内容】
【請求項５】
操作ノブを下側または上側に最大角度まで振って、前記奥フィンが上側または下側に限度まで傾動したとき、該奥フィンの上流側縁部が通風路の下壁または上壁に当接するように構成されたことを特徴とする請求項１記載の薄型レジスタ。